【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
栄養物及びバクテリアを含む粒状開始物質を混合タンクに供給し、前記混合タンク内の前記開始物質を溶解し、前記バクテリアの増殖を促進し、前記混合タンクから前記バクテリアを含む水性スラリーを放出するのに有用な装置であって、
フレーム及び着脱自在なカバーを有する筐体と、
粒状物質フィーダユニットと、
前記フレームに支持されると共に、前記粒状物質フィーダユニットに着脱自在に係合して、粒状開始物質を分注可能にするフィーダ駆動アセンブリと、
液流制御システムと、
少なくとも部分的に前記粒状物質フィーダユニットの下側に配置されて、前記粒状物質フィーダユニットから分注された粒状開始物質を受け入れる混合タンクと、
前記混合タンクと流体連通しており、前記スラリーが前記混合タンク内にて十分な時間滞留した後に前記スラリーを放出する水性スラリー放出装置と、
前記フィーダ駆動アセンブリ及び前記液流制御システムを制御するマイクロプロセッサと、
前記液流制御システムで制御されて、前記混合タンクに水を供給する加圧水供給部と、
前記フィーダ駆動アセンブリと、前記液流制御システムと、前記マイクロプロセッサとに接続された電力供給部と、
を具えており、
前記粒状物質フィーダユニットは、供給キャニスタと、開口を有する基部と、開口を有するダムと、単一の供給チャンバを有しており、前記ダムの下側に配置される回転フィーダカップとを更に具えており、前記ダム及び前記フィーダカップは、前記フィーダユニットを通って下方に向かう粒状物質の流れを制御するように協働し、
前記供給チャンバが前記ダムの開口と並んでおり、前記基部の開口からずれている場合、前記供給キャニスタからの粒状開始物質は、前記供給チャンバを満たし、前記供給チャンバが前記基部の開口と並んでおり、前記ダムの開口からずれている場合に、粒状開始物質は、前記供給チャンバから前記混合タンクに放出され、
前記回転フィーダカップは、表面エンハンスメントを具えており、前記表面エンハンスメントは、前記供給チャンバが前記ダムの開口からずれている場合に前記ダムの開口と接することで、前記前記供給キャニスタから前記回転フィーダカップへと通る粒状開始物質がブリッジング又はジャミングする可能性を低減するる装置。
【請求項２】
前記フレームは、壁に取付可能である、請求項１に記載の装置。
【請求項３】
前記フレームは更に、上側支持プレート及び下側支持プレートを具えている、請求項１に記載の装置。
【請求項４】
前記フィーダ駆動アセンブリは、前記上側支持プレートによって支持されている、請求項３に記載の装置。
【請求項５】
前記供給キャニスタは、堅い端壁と、略円筒状の堅い側壁と、開口端とを具えている、請求項１に記載の装置。
【請求項６】
前記供給キャニスタは、前記基部と着脱自在に係合する、請求項１に記載の装置。
【請求項７】
前記基部は、前記開口端の近くに配置された前記供給キャニスタの協働ネジ山と係合可能なネジ山を有する、請求項６に記載の装置。
【請求項８】
前記粒状物質フィーダユニットは、粒状開始物質を予め入れており、粒状開始物質が無くなると、工具を用いることなく、前記フィーダ駆動アセンブリとの係合を解除されて前記分注する装置から除かれて、粒状開始物質を予め入れた別のフィーダユニットに置き換えられる、請求項６に記載の装置。
【請求項９】
前記粒状物質フィーダユニットは、粒状開始物質を予め入れており、前記フィーダ駆動アセンブリと摺動自在に係合し、粒状開始物質が無くなると、前記フィーダ駆動アセンブリとの係合を解除されて前記分注する装置から除かれて、粒状開始物質を予め入れた別のフィーダユニットに置き換えられる、請求項１に記載の装置。
【請求項１０】
前記水性スラリー放出装置は、前記混合タンクのほぼ中央部分に鉛直に配置された管を具えており、前記管は、前記混合タンクの底面の開口と流体連通する下側端部と、前記混合タンクの底面から所望のレベルに配置された開口上側端部とを有しており、水面が前記管の上側端部に至って水性のスラリーが放出される前に、バクテリアを粒状開始物質から増殖させるのに十分な量の水が供給され、前記装置は、前記管の上側端部付近に配置されたスカッパを更に具えている、請求項１に記載の装置。
【請求項１１】
栄養物及びバクテリアを含む粒状開始物質を混合タンクに供給し、前記混合タンク内の前記開始物質を溶解し、前記バクテリアの増殖を促進し、前記混合タンクから前記バクテリアを含む水性スラリーを放出するのに有用な装置であって、
フレーム及び着脱自在なカバーを有する筐体と、
粒状物質フィーダユニットと、
前記フレームに支持されると共に、前記粒状物質フィーダユニットに着脱自在に係合して、粒状開始物質を分注可能にするフィーダ駆動アセンブリと、
液流制御システムと、
少なくとも部分的に前記粒状物質フィーダユニットの下側に配置されて、前記粒状物質フィーダユニットから分注された粒状開始物質を受け入れる混合タンクと、
前記混合タンクと流体連通しており、前記スラリーが前記混合タンク内にて十分な時間滞留した後に前記スラリーを放出する水性スラリー放出装置と、
前記フィーダ駆動アセンブリ及び前記液流制御システムを制御するマイクロプロセッサと、
前記液流制御システムで制御されて、前記混合タンクに水を供給する加圧水供給部と、
前記フィーダ駆動アセンブリと、前記液流制御システムと、前記マイクロプロセッサとに接続された電力供給部と、
を具えており、
前記粒状物質フィーダユニットは、ダムと、単一の供給チャンバを有しており、前記ダムの下側に配置される回転フィーダカップとを更に具えており、前記ダム及び前記フィーダカップは、前記フィーダユニットを通って下方に向かう粒状物質の流れを制御するように協働し、
前記混合タンクは、第１ドレーンポートを有する底部を具えており、
前記フレームは、第２ドレーンポートを有する下側支持プレートを具えており、前記第２ドレーンポートは、前記第１ドレーンポートと流体連通しており、
前記水性スラリー放出装置は、オーバーフロードレーンを具えており、
前記オーバーフロードレーンは、前記第１ドレーンポートに流体密封シールを与える下側端部と、前記混合タンク内にて少なくとも一部がほぼ中央の場所に配置される上側端部とを有する堅いオーバーフロードレーン管であり、
前記堅いオーバーフロードレーン管の上側端部は、向かい合って配置される少なくとも２つのスカッパを具えている装置。
【請求項１２】
バクテリアを含む水性スラリーを分注する装置において、
供給キャニスタと、回転フィーダカップと、前記供給キャニスタに着脱自在に取り付けられた基部とを具えるフィーダユニットであって、前記供給キャニスタは、堅い壁と開口端とを具えており、バクテリアを含んだ予め入れられた粒状開始物質を含んでおり、前記基部及び前記回転フィーダカップの各々は、前記供給キャニスタから混合タンクへと粒状開始物質を放出するための開口を具えており、前記混合タンクは、少なくとも部分的に前記基部の開口の下側に配置されているフィーダユニットと、
前記フィーダユニットに着脱自在に係合し、所定の間隔で前記基部の開口と一致して、ずれるように前記回転フィーダカップの開口を回転させるフィーダ駆動アセンブリと、
前記混合タンク内にてほぼ等距離の場所に配置されており、前記混合タンクに液体を供給する２又は３以上の液体混合ジェットと、
前記混合タンク内で混じり合った粒状開始物質及び液体で形成された水性スラリーを、前記混合タンクから分注する出口と、
を具えており、
粒状開始物質が無くなると、前記フィーダユニットが、工具を使うことなく、前記フィーダ駆動アセンブリから摺動自在に係合を解除され、前記分注する装置から除かれて、粒状開始物質を予め入れた別のフィーダユニットに置き換えられるように構成されており、
前記フィーダ駆動アセンブリは、駆動シャフトと、前記フィーダユニットの前記基部を支持するプレートとを具えており、前記フィーダユニットの基部の開口は、リップを具えており、前記リップは、前記支持プレートの開口と係合し、前記フィーダユニットの基部は、第２開口を具えており、前記駆動シャフトは、前記第２開口を通るように配置されて、前記回転フィーダカップと回転係合される装置。